(57)【要約】【課題】  金属サイディング材等を用いた面材外壁において、施工性に優れ、安定した水密性能が確保でき、かつメンテナンスの不要化が図れ、外壁のパネル化が可能な止水構造を提供する。【解決手段】  左右に隣合って配置される両側の外装面材４，４の裏面側縁部が建物の柱１０の前面に配置される。外装面材４の裏面の側縁部に弾性材料からなる面材裏面止水材１５を設ける。両外装面材４，４間の縦目地１６に向かって突出する係止部１７ａを有する役物受け材１７を、柱１０の前面に取付ける。両外装面材４，４の表面の側縁部間に渡る目地カバー本体部２０ａ、および前記係止部１７ａに係止される被係止部２０ｂを有する目地カバー２０を設ける。外装面材４の裏面の防水シートは、側縁部を前記面材裏面止水材１５で外装面材４に抑え込んで止める。【選択図】      図３
2014066036.tif 000002
【特許請求の範囲】
【請求項１】
左右に互いに同一平面にまたは互いに屈曲角度を持って隣合って配置される外装面材を備え、これら左右の外装面材の隣合う裏面側縁部を、建物の互いに同じ柱の前面に配置した面材外壁における止水構造であって、
前記外装面材の裏面の側縁部と前記柱との間に弾性材料からなる面材裏面止水材を介在させ、前記左右の外装面材間の縦目地に向かって突出する係止部を有する役物受け材を前記柱の前面に取付け、前記左右の外装面材の表面の隣合う側縁部間に渡る目地カバー本体部およびこの目地カバー本体部の裏面から突出し前記係止部に押し付けられることによって前記係止部に係止される被係止部を有する目地カバーを設けたことを特徴とする面材外壁の止水構造。
【請求項２】
請求項１において、前記外装面材が上下または左右に複数枚並び、これら複数枚の外装面材に渡って裏面を覆う防水シートを設け、この防水シートの側縁部を抑え込んで前記面材裏面止水材を前記外装面材に取付けた面材外壁の止水構造。
【請求項３】
請求項１または請求項２において、前記外装面材が金属サイディングである面材外壁の止水構造。
【請求項４】
請求項１ないし請求項３のいずれか１項において、前記役物受け材が、前記面材裏面止水材の表面に沿って延びる板状部を有し、この板状部の前記面材裏面止水材よりも幅方向に突出した両側端に、前面側へ折り返された折り返し部を有する面材外壁の止水構造。
【請求項５】
請求項１ないし請求項４のいずれか１項において、前記外装面材とこの外装面材を屋外側の面に張ったパネルフレームとで外壁パネルを構成し、前記外装面材は前記パネルフレームよりもパネル幅方向に突出し、前記パネルフレームは、外周のパネル縦フレーム材が前記柱の側面に沿って配置される面材外壁の止水構造。
【発明の詳細な説明】
【技術分野】
【０００１】
この発明は、金属サイディング材等の外装面材を左右に並設して構成される面材外壁の止水構造に関し、外壁パネル形式および非パネル化形式のいずれの面材外壁にも適用される止水構造に関する。
【背景技術】
【０００２】
従来、金属サイディング材等を外装面材として用いる面材外壁では、図１１のように、左右に隣合う外装面材３２の間の目地部は、湿式シーリング材３４を用いて止水している。湿式シーリング材３４の施工は、建物の周囲に足場を建てて行う。
外装面材３２の屋内側となる裏面には透湿防水シート３３を張り、外装面材３２の上下や左右の継ぎ目を超えて浸入した雨水を止水する。透湿防水シート３３は切れ目なく施工する必要があるため、現場で建物周囲に足場を建てて施工し、透湿防水シート３３の相互のジョイントは、重ね代を確保するか、防水テープを貼ることで止水する。
【先行技術文献】
【特許文献】
【０００３】
【特許文献１】特許第４００４９４６号公報
【特許文献２】特許第４０５６９３１号公報
【特許文献３】特開２０１０−２６１１５３号公報
【発明の概要】
【発明が解決しようとする課題】
【０００４】
従来の面材外壁の止水構造では、湿式シーリング材３４を使用しているが、湿式シーリング材３４は、建物として建ち上がった状態で施工するため、建物周囲に足場を組んで施工する必要があって、施工性が悪く、工期が長くなり、足場によってコストも増大する。雨天では施工できないため、天候が工期に大きく影響するという問題もある。また、湿式シーリングは、職人の技量によって品質が大きく左右され、安定した水密性能の確保が難しい。湿式シーリングは、耐久年数が約１０年と短く、その度にシーリングを施工し直す必要がある。また、この湿式シーリングの打ち替えは、その都度、足場が必要となり、コストが掛かる。店舗等の場合は、建物周囲が覆われてしまうため、営業にも影響を与える。
【０００５】
金属サイディング材等の外装面材３４では、上記のように裏面に透湿防水シート３３を張り、外装面材３４の継ぎ目を超えて浸入した雨水を止水するが、透湿防水シート３３のジョイントは、重ねるだけの場合が多く、水密性能に不安がある。ジョイントに防水テープを入れる場合は、作業者の技量によって品質が左右され、安定した水密性能の確保が難しい。透湿防水シート３３は切れ目なく張らなければならないため、金属サイディング材等の外装面材３４を用いた面材外壁では、外壁のパネル化も難しい。
【０００６】
この発明の目的は、施工性に優れ、安定した水密性能が確保でき、工期短縮が図れ、かつメンテナンスの不要化が図れる面材外壁の止水構造を提供することである。
この発明の他の目的は、外装面材の裏面に防水シートを張る構成の場合に、防水シートのジョイント部での防水性能が確保できて、より安定した水密性能が確保でき、また外壁のパネル化が可能な面材外壁の止水構造を提供することである。
【課題を解決するための手段】
【０００７】
この発明の面材外壁の止水構造は、左右に互いに同一平面にまたは互いに屈曲角度を持って隣合って配置される外装面材を備え、これら左右の外装面材の隣合う裏面側縁部を、建物の互いに同じ柱の前面に配置した面材外壁における止水構造であって、
前記外装面材の裏面の側縁部と前記柱との間に弾性材料からなる面材裏面止水材を介在させ、前記左右の外装面材間の縦目地に向かって突出する係止部を有する役物受け材を前記柱の前面に取付け、前記左右の外装面材の表面の隣合う側縁部間に渡る目地カバー本体部およびこの目地カバー本体部の裏面から突出し前記係止部に押し付けられることによって前記係止部に係止される被係止部を有する目地カバーを設けたことを特徴とする。
【０００８】
この構成によると、目地内に雨水が浸入することが目地カバーにより防止され、また目地内に雨水が浸入しても、外装面材の裏面の弾性材料からなる面材裏面止水材が柱の前面に圧縮状態に介在していて、雨水がさらに建物内部に浸入することが防止される。
このように、外装面材の裏面の側縁部に弾性材料からなる面材裏面止水材を設けると共に、目地カバーで目地を覆うようにし、シールを乾式化して湿式シーリングを不要としたため、施工性に優れ、作業者の技量によらずに安定した水密性能が確保でき、工期短縮が図れる。目地カバーは、柱にプレセットした役物受け材に押し付けて係止させるようにしたため、作業時間が短くて簡単かつ迅速に行え、高所作業となる場合でも、足場を組むことなく、高所作業車等を利用して作業が行える。
【０００９】
この発明において、前記外装面材が上下または左右に複数枚並び、これら複数枚の外装面材に渡って裏面を覆う防水シートを設け、この防水シートの側縁部を抑え込んで前記面材裏面止水材を前記外装面材に取付けても良い。前記防水シートは、透湿防水シートであることが好ましい。
前記防水シートを設けることにより、上下の外装面材の継ぎ目から浸入した雨水がさらに屋内に進入することが防止される。また、防水シートの側縁は前記面材裏面止水材に続き、この面材裏面止水材と前記目地カバーとで目地での止水性が確保される。そのため、防水シートが左右の外装面材毎に分けて設けられていても、左右の外装面材間での防水性の低下の問題がなくて、防水シートの左右の継ぎ目による問題を生じることなく、外壁のパネル化が可能になる。
【００１０】
この発明において、前記外装面材が金属サイディング材であっても良い。前記外装面材は、この他に、窯業系のサイディング材や、その他の材質のものであっても良い。金属サイディング材は、薄い金属板製の外殻内に断熱材等を充填したものであり、断熱性、軽量化による耐震性、防水性等に優れる。そのため、金属サイディング材を用いることで、この発明の他の構成と相まって、非常に優れた防水性が得られる。
【００１１】
この発明において、前記役物受け材が、前記面材裏面止水材の表面に沿って延びる板状部を有し、この板状部の前記面材裏面止水材よりも幅方向に突出した両側端に、前面側へ折り返された折り返し部を有するものとしても良い。この構成の場合、２次止水材となる面材裏面止水材を水が通過した場合でも、その水は前記折り返し部を伝わって流れ落ちることになり、前記折り返し部よりも屋内側に浸入することが防止される。
【００１２】
この発明において、前記外装面材とこの外装面材を屋外側の面に張ったパネルフレームとで外壁パネルを構成し、前記外装面材は前記パネルフレームよりもパネル幅方向に突出し、前記パネルフレームは、外周のパネル縦フレーム材が前記柱の側面に沿って配置されるようにしても良い。前記パネルフレームに対して、前記外装面材は上下または左右に複数枚並んで設けられていても良い。
上記のように、パネル縦フレーム材が柱の側面に沿って配置されるようにしたため、外装面材をパネルフレームと共に外壁パネルとしてパネル化した場合に、外装面材の裏面の側縁部が柱の前面に位置することになり、上記の弾性材料からなる面材裏面止水材と目地カバーによる止水の構造が適用でき、その優れた施工性、止水性能、工期短縮の効果が得られる。また、外壁パネル化によって、パネルフレームを柱に取付けることで、上記の弾性材料からなる面材裏面止水材を圧縮状態で柱との間に介在させることができ、より一層施工性の向上、工期の短縮が図れる。
前記防水シートを設ける場合も、防水シートの幅方向の縁が面材裏面止水材に続き、また前記のように隣合う外壁パネル間の目地の防水が確保されるため、防水シートのジョイント上の問題を生じることなく、外壁パネル化が図れる。
【発明の効果】
【００１３】
この発明の面材外壁の止水構造は、左右に互いに同一平面にまたは互いに屈曲角度を持って隣合って配置される外装面材を備え、これら左右の外装面材の隣合う裏面側縁部を、建物の互いに同じ柱の前面に配置した面材外壁における止水構造であって、前記外装面材の裏面の側縁部と前記柱との間に弾性材料からなる面材裏面止水材を介在させ、前記左右の外装面材間の縦目地に向かって突出する係止部を有する役物受け材を前記柱の前面に取付け、前記左右の外装面材の表面の隣合う側縁部間に渡る目地カバー本体部およびこの目地カバー本体部の裏面から突出し前記係止部に押し付けられることによって前記係止部に係止される被係止部を有する目地カバーを設けたため、施工性に優れ、安定した水密性能が確保でき、工期短縮が図れ、かつメンテナンスの不要化が図れる。
前記外装面材が上下または左右に複数枚並び、これら複数枚の外装面材に渡って裏面を覆う防水シートを設け、この防水シートの側縁部を抑え込んで前記面材裏面止水材を前記外装面材に取付けた場合は、防水シートのジョイント部での防水性能が確保できて、より安定した水密性能が確保でき、また外壁のパネル化が可能となる。
【図面の簡単な説明】
【００１４】
【図１】この発明の止水構造が適用される面材外壁の一例の外観斜視図である。
【図２】同面材外壁の水平断面図である。
【図３】同面材外壁に適用される止水構造の一実施形態の施工手順を示す説明図である。
【図４】同止水構造の他の構成例を示す断面図である。
【図５】同止水構造のさらに他の構成例を示す断面図である。
【図６】同止水構造を建物の出隅部の面材外壁に適用した実施形態の施工手順を示す説明図である。
【図７】同止水構造を建物の入隅部の面材外壁に適用した実施形態の施工手順を示す説明図である。
【図８】金属サイディングからなる外層面材の中間省略縦断面図である。
【図９】金属サンドイッチパネルの一例を示す断面図である。
【図１０】外壁パネルの他の構成例を示す正面図である。
【図１１】従来例を示す斜視図である。
【発明を実施するための形態】
【００１５】
この発明の第１の実施形態を図１ないし図３、および図８と共に説明する。図１はこの発明の止水構造が適用される面材外壁の一例の外観斜視図を示し、図２は同面材外壁の水平断面図を示す。適用する建物は、戸建て住宅や集合住宅、事務所建物、その他種々の鉄骨系の建物である。この面材外壁は、外壁パネル１を、パネルフレーム３の部分で建物の隣合う柱１０間にそれぞれ位置させて、左右に複数枚並べたものである。柱１０の両側の外装面材４，４は、互いに同一平面に並べられている。外壁パネル１の高さは、例えば、建物の１階分または２階分の高さとされる。各外壁パネル１は、サイディング材からなる外装面材４を上下に複数枚並べた面材上下並設体２と、この面材上下並設体２の建物屋内側となる裏面に取付けたパネルフレーム３とで構成される。各外装面材４は金属サイディングからなり、上下の外装面材４は互いに継手部で継がれる。外装面材４は、金属サイディングの他に、金属サンドイッチパネルや窯業系のサイディング、あるいはさらに他の板材を用いて良い。
【００１６】
金属サイディングからなる外装面材４は、例えば図８に縦断面を示すように、めっき鋼板またはステンレス鋼板等の薄い金属板製で略溝形の屋外側外殻４Ａ内に、発泡樹脂等の断熱材４Ｂ等を充填し、断熱材４Ｂの裏面をアルミライナーシート４Ｃで覆った矩形の板状体であり、断熱性、軽量化による耐震性、防水性等に優れる。この金属サイディングからなる外装面材４は、上下縁に、その上下に隣合う外装面材４と接合する継手部４Ａａ，４Ａｂが設けられている。継手部４Ａａ，４Ａｂは、同図の例では表裏にそれぞれ位置する相欠継ぎとなる突状部分とされているが、さね継ぎ等の継ぎ手となる形状や、その他の形状であっても良い。
【００１７】
外装面材４の横幅は、前記外壁パネル１の全体に渡る幅とされ、上下幅は、例えば数枚程度の外装面材４を上下に順次継いで外壁パネル１の全体高さとなる上下幅とされている。
【００１８】
なお、外装面材４として用いられる金属サンドイッチパネルは、例えば図９に示すように、薄い金属板製の中空の両面外殻４Ａ′内に、断熱材４Ｂ等を充填した矩形の板状体である。両面外殻４Ａ′および断熱材４Ｂには、それぞれステンレス鋼板、発泡樹脂等が用いられる。この金属サンドイッチパネルからなる外装面材４は、上下縁に、その上下に隣合う外装面材４と接合する継手部４Ａａ′，４Ａｂ′が設けられている。継手部４Ａａ′，４Ａｂ′は、同図の例ではさね継ぎとなる突状部分および溝状部分とされているが、相欠継ぎ等の継ぎ手となる形状や、その他の形状であっても良い。両面外殻４Ａ′の屋外側に用いる面は、凹凸模様等の化粧が施され、または平坦面とされる。この例では、横幅方向に延びる化粧用の凹溝４Ａｃが設けられている。凹溝４Ａｃは、例えば、上下の外装面材４，４間の継ぎ目４１と同様な外観となる溝形状とされる。
【００１９】
図１において、パネルフレーム３は、両側辺の一対のパネル縦フレーム材５，５、およびパネル上下辺フレーム材６により矩形に枠組みされる。前記面材上下並設体２は、前記パネルフレーム３の外周から、上下辺および左右両辺が若干張り出す矩形に形成される。パネルフレーム３を構成する各フレーム材５，６は、パネルフレーム３の枠内側に開口する軽量形鋼等のＣ形鋼からなる。パネルフレーム３の内部には、外装面材固定用および補強用の部材として、複数本の中桟となる縦桟材８および横桟材９が配置される。これら縦桟材８および横桟材９は、それらの端部が前記各フレーム材５，６の開口内で溶接されることでパネルフレーム３に固定され、縦桟材８および横桟材９の前面がパネルフレーム３の屋外側に面する前面に揃えられる。縦桟材８および横桟材９は、軽量形鋼のＣ形鋼やＬ形鋼等からなる。
【００２０】
パネルフレーム３の前面と、縦桟材８および横桟材９の前面に渡って、前記面材上下並設体２と同一寸法、または若干大きな寸法、または若干小さな寸法の矩形とされた透湿防水シート１１が張り渡される。透湿防水シート１１は、複数枚を上下または左右に継いで用いても良い。その場合、透湿防水シート１１の継ぎ部分は重ね合わせる。この透湿防水シート１１を挟んで、パネルフレーム３の前面に面材上下並設体２が、透湿防水シート１１と重なるように配置され、各外装面材４が、パネルフレーム３、および縦桟材８にビス止めされる。このビス（図示せず）には、ドリル付きタッピングビス等が用いられる。面材上下並設体２の固定は、ビス止めによる他に、金具留めにより行っても良い。このとき、透湿防水シート１１の周辺部は両面テープ１２（図３）を介して面材上下並設体２の裏面に固定される。
【００２１】
外装面材４の裏面の側縁部には、面材上下並設体２の全体高さに渡り、２次止水材となる面材裏面止水材１５が貼り付けられる。この面材裏面止水材１５は、例えばＥＰＤＭ（疎水性ウレタン発泡体）等の発泡材の弾性体からなり、厚手の防水テープとされたものが使用される。この防水テープは、粘着剤等の接着剤が片面に施されていて、その接着剤により、透湿防水シート１１の上から外装面材４に固定される。なお、外装面材４の側縁部の一部が透湿防水シート１１から露出するように透湿防水シート１１の幅を外装面材４よりも若干狭くし、透湿防水シート１１の縁を面材裏面止水材１５の幅内に位置させ、透湿防水シート１１を外装面材４に固定した両面テープ１２の露出部分に面材裏面止水材１５を貼り付けても良い。
【００２２】
図２のように、外壁パネル１のパネルフレーム３は、隣合って並ぶ柱１０，１０の間に収まり、その両側辺のパネル縦フレーム材５，５が隣合う柱１０，１０の互いに内側となる側面に沿うように配置され、各パネル縦フレーム材５が、対向する柱１０に取付けられる。具体的には、各柱１０に側方へ突出して固定されたガセットプレート１３に、パネルフレーム３のパネル縦フレーム材５が、その裏面側のフランジ部でボルト１４により取付けられる。
【００２３】
このようにして左右に隣合って配置される外壁パネル１の両側の外装面材４，４は、互いに建物の柱１０の前面の柱幅中央まで覆うことになる。外壁パネル１の取付けに先立ち、前記柱１０の前面には、役物受け材１７が縦方向に延びて配置され、柱側止水材１８を介して柱１０の前面にビス１９で取付けられる。柱側止水材１８は、両面ブチルテープからなる。
外壁パネル１を前記ボルト１４により柱１０に取付けた状態で、外壁パネル１の外装面材４と柱１０の前面との間隔は、図３（Ｂ）のように、外壁パネル１の面材裏面止水材１５が柱１０側の役物受け材１７に押さえ付けられて圧縮される間隔に形成され、これにより、面材裏面止水材１５が止水性能を発揮する。
【００２４】
前記役物受け材１７は、柱１０の表面に沿って延びる板状部１７ｂと、この板状部１７ｂから前記両外装面材４，４間の縦目地１６に向かって突出する係止部１７ａとを有し、前記板状部１７ｂで前記ビス１９により取付けられる。板状部１７ｂは、その前面に対向する外壁パネル１の面材裏面止水材１５よりも外壁パネル１の中央側へ延びる幅とされ、その両側の側縁に、前面側へ折り返された折り返し部１７ｃを有する。この折り返し部１７ｃにより、２次止水材となる前記面材裏面止水材１５を水が通過した場合でも、その水がそれよりも屋内側に浸入するのを防止することができる。
前記役物受け材１７の前記係止部１７ａは、二股状の突片からなり、両側の突片の対向面の先端に、抜止め突部が長さ方向に沿って設けられている。換言すれば、前記係止部１７ａは、入口部が狭まった溝を先端面に有する突条として形成されている。
前記役物受け材１７の材質例を説明すると、前記板状部１７ｂは鉄板等の金属板からなり、前記係止部１７ａは前記板状部１７ｂと共に一体形成された金属材からなる。
【００２５】
左右に隣り合う外壁パネル１，１の接続部である前記縦目地１６には、図３（Ｂ），（Ｃ）に示すように目地カバー２０が全長に渡って配置される。この目地カバー２０は、両外壁パネル１の表面の側縁部間に渡る目地カバー本体部２０ａと、この目地カバー本体部２０ａの裏面の中央から突出する被係止部２０ｂとを有する。この被係止部２０ｂは、前記役物受け材１７の係止部１７ａに押し付けられることによって係止部１７ａに係止される。具体的には、係止部１７ａは、立ち上がり片状に形成されて、先端に厚肉となった逆止部が設けられ、この逆止部が前記係止部１７ａの両側の突片間に前記抜止め突部よりもよりも奥側に押し込まれることで、これら抜止め突部と逆止部との係合により抜け止めされる。
【００２６】
目地カバー２０における目地カバー本体部２０ａの裏面の被係止部２０ｂを挟む左右には、１次止水材となるカバー側止水材２１が縦に延びて貼り付けられている。このカバー側止水材２１も、ＥＰＤＭ等の発泡性の弾性体からなる厚手の防水テープ等が用いられる。目地カバー２０を役物受け材１７に係止させて、目地カバー２０の目地カバー本体部２０ａで前記縦目地１６を覆った図３（Ｃ）の状態で、前記カバー側止水材２１が目地カバー２０と面材上下並設体２とに挟まれて圧縮されるので、縦目地１６からの水の浸入が阻止される。
【００２７】
なお、前記面材裏面止水材１５は、面材上下並設体２の裏面に貼り付けるのに替えて、図４のように役物受け材１７における板状部１７ｂの前面の係止部１７ａを挟む左右に貼り付けても良い。あるいは、図５のように、面材上下並設体２の裏面に面材裏面止水材１５を貼り付けると共に、これらに対向する役物受け材１７における板状部１７ｂの前面の左右にも面材裏面止水材１５を貼り付けるようにしても良い。
【００２８】
この構成の面材外壁の止水構造によると、縦目地１６内に雨水が浸入することが目地カバー２０およびそのカバー側止水材２１により防止され、また縦目地１６内に雨水が浸入しても、外装面材４の裏面の弾性材料からなる面材裏面止水材１５が柱１０の前面に圧縮状態に介在していて、雨水がさらに建物内部に浸入することが防止される。
このように、外装面材４の裏面の側縁部に弾性材料からなる面材裏面止水材１５を設けると共に、目地カバー２０で縦目地１６を覆うようにし、シールを乾式化して湿式シーリングを不要としたため、施工性に優れ、作業者の技量によらずに安定した水密性能が確保でき、工期短縮が図れる。目地カバー２０は、柱１０にプレセットした役物受け材７に押し付けて係止させるようにしたため、作業時間が短くて簡単かつ迅速に行え、高所作業となる場合でも、足場を組むことなく、高所作業車等を利用して作業が行える。
【００２９】
外装面材４は金属サイディングからなるため、断熱性、軽量化による耐震性、防水性等に優れる。そのため、外装面材４として金属サイディングを用いることで、前記面材裏面止水材１５や目地カバー２０による止水構造とあいまって、非常に優れた防水性が得られる。  外装面材４を金属サイディングとした場合、上下の外装面材４の継ぎ目から内部に雨水が浸入することの防止を行う必要があるが、この止水は、前記防水シート１１により行われる。
【００３０】
防水シート１１の側縁は面材裏面止水材１５に続き、この面材裏面止水材１５と前記目地カバー２０とで縦目地１６での止水性が確保される。そのため、防水シート１１が左右の外装面材４毎に分けて設けられていても、左右の外装面材４間での防水性の低下の問題がない。このため、防水シート１１の左右の継ぎ目による問題を生じることなく、外壁パネル化が可能になる。この外壁のパネル化により、より一層、施工性に優れたものとなる。
この場合に、上記のように、パネル縦フレーム材５が柱１０の側面に沿って配置されるようにしたため、外装面材４をパネルフレーム３と共に外壁パネル１としてパネル化した場合に、外装面材１の裏面の側縁部が柱１０の前面に位置することになり、上記の弾性材料からなる面材裏面止水材１５と目地カバー２０による止水の構造が適用でき、その優れた施工性、止水性能、工期短縮の効果が得られる。また、外壁パネル化によって、パネルフレーム３を柱１０に取付けることで、上記の弾性材料からなる面材裏面止水材１５を圧縮状態で柱１０との間に介在させることができ、より一層施工性の向上、工期の短縮が図れる。
【００３１】
なお、この実施形態では、外壁パネル１のパネル部が複数枚の外装面材４を上下に並べて構成した面材上下並設体２からなる例を示したが、図１０に示すように外装面材４を左右に並べて前記パネル部を構成しても、また外装面材４の単体で前記パネル部を構成しても上記と同様の効果を得ることができる。
【００３２】
図６は、この発明の他の実施形態を示す。同図は、建物の出隅部における面材外壁の止水構造およびその施工手順を示す。この実施形態では、出隅部の柱１０の隣合う２面（図示せず）に沿って外壁パネル１，１が設けられており、これらの外壁パネル１，１の外装面材４，４は、互いに屈曲角度を持って隣合っている。前記役物受け材１７は、前記板状部１７ｂが折板状とされ、柱１０の前面側となる２面に跨がって取付けられている。役物受け材１７の係止部１７ａは柱１０の角部から外方に突出している。目地カバー２０は、出隅部において左右に隣合う外壁パネル１の両面材上下並設体２，２の表面に跨がる断面Ｌ形に目地カバー本体部２０ａが形成されていて、その角部の内側に被係止部２０ｂが突出している。その他の構成は図３の構成例の場合と同様である。
【００３３】
図７は、この発明のさらに他の実施形態を示す。この例は、建物の入隅部における面材外壁の止水構造およびその施工手順を示す。この実施形態では、入隅部の組み合わせ型の柱１０Ａを構成する２本の互いに前面が直角に対向する柱構成部材１０ａに対して、外壁パネル１，１が設けられている。前記組み合わせ型の柱１０Ａは、２本の柱構成部材１０ａと他の柱構成部材１０ｂとで構成される。各柱構成部材１０ａ，１０ｂは、角パイプやＣ形鋼等の軽量形鋼からなる。
役物受け材１７は板状部１７ｂがＬ形の折れ板状に形成され、前記２本の柱構成部材１０ａの直角に対向する前面間に跨がって取付けられている。役物受け材１７の係止部１７ａは、柱構成部材１０ａ，１０ａ間の角部から外方に突出している。目地カバー２０は、入隅部において左右に隣合う外壁パネル１の両面材上下並設体２，２の表面に跨がる断面Ｌ形に目地カバー本体部２０ａが形成されていて、その角部の外側に被係止部２０ｂが突出している。その他の構成は図３の構成例の場合と同様である。
【符号の説明】
【００３４】
１…外壁パネル
２…面材上下並設体
３…パネルフレーム
４…外装面材
５…パネル縦フレーム材
１０…柱
１０Ａ…柱
１０ａ，１０ｂ…柱構成部材
１５…面材裏面止水材
１６…縦目地
１７…役物受け材
１７ａ…係止部
１７ｂ…板状部
１７ｃ…折り返し部
１８…柱側止水材
２０…目地カバー
２０ａ…目地カバー本体部
２０ｂ…被係止部
【図１】
2014066036.tif 000003
【図２】
2014066036.tif 000004
【図３】
2014066036.tif 000005
【図４】
2014066036.tif 000006
【図５】
2014066036.tif 000007
【図６】
2014066036.tif 000008
【図７】
2014066036.tif 000009
【図８】
2014066036.tif 000010
【図９】
2014066036.tif 000011
【図１０】
2014066036.tif 000012
【図１１】
2014066036.tif 000013